(57)【要約】【課題】  通信相手に応じて、通信相手が無線を介して通信するための通信パラメータ設定情報を送信することによって、相手端末および収容端末の種類によらず、自動的に最適なデータ変換を行うことで相互通信を可能にすることを目的とする。【解決手段】  通信装置において、第１の通信相手と無線を介して通信するか否かを判別する判別手段と、上記判別手段による判別に応じて、上記第１の通信相手が無線を介して通信するための通信パラメータ設定情報を、上記第１の通信相手に送信する送信手段とを有することを特徴とする通信装置である。【選択図】  図１
2005333660.tif 000002
【特許請求の範囲】
【請求項１】
通信装置において、
第１の通信相手と無線を介して通信するか否かを判別する判別手段と；
上記判別手段による判別に応じて、上記第１の通信相手が無線を介して通信するための通信パラメータ設定情報を、上記第１の通信相手に送信する送信手段と；
を有することを特徴とする通信装置。
【請求項２】
請求項１において、
上記通信装置は、第２の通信相手と上記第１の通信相手とが通信する際の中継装置であることを特徴とする通信装置。
【請求項３】
請求項１または請求項２において、
上記送信手段は、第２の通信相手と上記第１の通信相手とが通信する際の通信パラメータ設定情報を送信する手段であることを特徴とする通信装置。
【請求項４】
請求項１〜請求項３のいずれか１項において、
上記送信手段は、上記通信装置と上記第１の通信相手とが通信する際の通信パラメータ設定情報を送信する手段であることを特徴とする通信装置。
【請求項５】
請求項１において、
上記通信装置は、中継装置を介して上記第１の通信相手と通信する装置であることを特徴とする通信装置。
【請求項６】
請求項１において、
上記通信装置は、上記第１の通信相手を介して第３の通信相手と通信する装置であることを特徴とする通信装置。
【請求項７】
請求項１〜請求項６のいずれか１項において、
上記判別手段は、上記第１の通信相手の識別情報に基づいて、上記判別を行う手段であることを特徴とする通信装置。
【請求項８】
通信装置において、
第１の通信相手が無線通信機能を有するか否かを判別する判別手段と；
上記判別手段による判別に応じて、上記第１の通信相手が無線を介して通信するための通信パラメータ設定情報を、上記第１の通信相手に送信する送信手段と；
を有することを特徴とする通信装置。
【請求項９】
通信方法において、
第１の通信相手と無線を介して通信するか否かを判別する判別工程と；
上記判別工程における判別に応じて、上記第１の通信相手が無線を介して通信するための通信パラメータ設定情報を、上記第１の通信相手に送信する送信工程と；
を有することを特徴とする通信方法。
【請求項１０】
通信方法において、
第１の通信相手が無線通信機能を有するか否かを判別する判別工程と；
上記判別工程における判別に応じて、上記第１の通信相手が無線を介して通信するための通信パラメータ設定情報を、上記第１の通信相手送信する送信工程と；
を有することを特徴とする通信方法。
【発明の詳細な説明】
【技術分野】
【０００１】
本発明は、通信装置および通信方法に関する。
【背景技術】
【０００２】
ＩＳＤＮの普及に伴い、パーソナルコンピュータ等のデータ端末を使ったデータ通信を行う際には、ターミナルアダプタを介してＩＳＤＮに接続されるようになってきている。
【０００３】
この場合、データ端末をＲＳ２３２Ｃ等のケーブルでターミナルアダプタに接続し、データ端末からターミナルアダプタに対して、２４００ｂｐｓ、４８００ｂｐｓ、９６００ｂｐｓ、１９．２ｋｂｐｓ、３８．４ｋｂｐｓ等の伝送速度で調歩同期方式でデータを送信する。
【０００４】
データを受けたターミナルアダプタでは、標準勧告のＶ．１１０等に従ってデータを６４ｋｂｐｓの伝送速度に変換してＩＳＤＮに送信する。
【０００５】
―方で、ＰＨＳの普及に伴い、ＰＨＳを利用した無線データ伝送を行う端末も実用化されようとしている。ＰＨＳを利用した無線データ伝送を行う場合には、端末間（End-to-End）で再送制御等を行うために、所定のフォーマットのフレームを構成してデータ伝送を行う。日本においては、ＰＩＡＦＳ（PHS Internet Access Forum Standard）として、無線データ伝送プロトコルが標準化されている。
【０００６】
このような背景の中で、ターミナルアダプタに接続されたデータ端末が、ＰＨＳに接続される無線データ端末との間でデータ通信を行う必要性が生じ、無線データ伝送プロトコル（ＰＩＡＦＳ）変換処理を内蔵するターミナルアダプタが提案されてきている。
【０００７】
図１２に従来システムの構成図、図１３に従来のターミナルアダプタの内部構成図、図１４に無線データ端末の構成図、図１５にＰＨＳ無線フレームフォーマット、図１６に無線データ伝送プロトコル（ＰＩＡＦＳ）で規定されるフレームフォーマット、図１７に従来の通信シーケンス図、図１８に従来の動作フローチャートを示す。
【０００８】
図１２において、１０１はデジタル公衆通信回線であるＩＳＤＮ（Integrated Services Digital Network ）、１０２は発信側のターミナルアダプタ、１０３はパーソナルコンピュータ等のデータ端末、１０４はＲＳ２３２Ｃ等のシリアル通信インターフェイス、１０５はＰＨＳ基地局、１０６はＰＨＳ基地局に直接アクセスする機能を有する無線データ端末、１０７は伝送速度３２ｋｂｐｓのＰＨＳ公衆無線回線である。
【０００９】
図１３において、２０１はＣＰＵ、２０２はメモリ、２０３はデータバス、２０４はＤＳＵ（Digital Service Unit）を含むＩＳＤＮインターフェイス部、２０５はＢチャネルシリアル信号、２０６は３２ｋｂｐｓのデータを６４ｋｂｐｓに変換するＩ．４６０変換部、２０７は無線データ伝送プロトコル（ＰＩＡＦＳ）に従ったデータ変換処理を行う無線データ伝送プロトコル処理部、２０８はデータ端末１０３から受けた非同期シリアルデータ（２４００ｂｐｓ、４８００ｂｐｓ、９６００ｂｐｓ、１９２００ｂｐｓ）を同期データに変換する処理を行うＰＰＰ非同期／同期変換部、２０９はＲＳ２３２Ｃインターフェイスである。
【００１０】
図１４において、３０１はＣＰＵ、３０２はメモリ、３０３はデータバス、３０４は表示部やキー操作部等を含むユーザインターフェイス部、３０５は無線データ伝送プロトコル処理部、３０６は無線伝送フレーム（レイヤ１）の組立／分解を行うチャネルコーデック、３０７は高周波部である。
【００１１】
図１５は、ＰＨＳ無線伝送フレームフォーマットを示しており、（ａ）は無線リンク確立時に使用するＳＣＣＨ（個別セル呼び出し）フレーム、（ｂ）はＰＣＨ（―斉呼び出しチャネル）フレーム、（ｃ）は通常データの通信に使用するＴＣＨ、ＦＡＣＣＨ等のフレームである。
【００１２】
図１６は、無線データ伝送プロトコル（ＰＩＡＦＳ）で使用するフレームフォーマットを示しており、（ａ）はネゴシエーションフレーム、（ｂ）は同期フレーム、（ｃ）は制御フレーム、（ｄ）はデータフレームである。
【００１３】
次に、従来のターミナルアダプタ１０２が、無線データ端末１０６とデータ通信を行う場合の動作について説明を行う。
【００１４】
まず、ターミナルアダプタ１０２に接続されたデータ端末１０３から発信する場合の処理を説明する。
【００１５】
データ端末１０３の通信アプリケーションソフトが起動し、データ端末１０３から発信要求を受けたターミナルアダプタ１０２は（Ｓ７０１）、ＩＳＤＮに対して呼設定メッセージを送信し、発信処理を行う（Ｓ７０２）。この際、呼設定メッセージに含まれる伝送能力情報要素の情報転送能力のコードには「非制限デジタル」を設定し、ユーザ速度のコードには「３２ｋｂｐｓ＋Ｉ．４６０」を設定する。
【００１６】
ＩＳＤＮは、呼設定メッセージを受け、ＰＨＳ基地局１０５に対して着信を知らせる呼設定メッセージを送信する。ＰＨＳ基地局１０５は無線データ端末１０６に対してＰＣＨ（図１５参照）で着呼メッセージを送信し、それを受けた無線データ端末１０６は、ＳＣＣＨにおいてリンクチャネル確立要求を行う。これに対してＰＨＳ基地局１０５は、無線データ端末１０６に対してリンクチャネル割り当てメッセージを送信し、ＰＨＳ基地局１０５からＳＣＣＨによってリンクチャネル割り当てを受けた無線データ端末１０６は、着呼応答メッセージを送信する。
【００１７】
その後、無線データ端末１０６は、ＰＨＳ基地局１０５との間で、無線管理、移動管理関連メッセージをＰＨＳ基地局１０５とやり取りし、無線データ端末１０６は表示部に着信のあったことを表示する。無線データ端末１０６の使用者が応答処理を行うと、無線データ端末１０６はＰＨＳ基地局１０５に対して応答メッセージを送信する。
【００１８】
応答メッセージを受けたＰＨＳ基地局１０５はＩＳＤＮに対して応答メッセージを送信し、ＩＳＤＮはターミナルアダプタ１０２に対して応答メッセージを送信する。ターミナルアダプタ１０２がＩＳＤＮから応答メッセージを受けると（Ｓ７０３）、無線データ端末１０６との間で無線データ伝送プロトコルのネゴシエーションを行う。すなわち、図１６（ａ）、（ｃ）に示す、ネゴシエーションフレーム（Ｓ７０４）や通信パラメータ設定要求フレームを送り（Ｓ７０５）、フレーム同期確立、通信パラメータの設定等の処理を行う。
【００１９】
これらの処理を終えて通信パラメータ設定受付フレームを無線データ端末１０６から受信すると（Ｓ７０６）、データ端末１０３に対して接続通知を行い、それ以降データ端末１０３から送られるデータはＢチャネルデータとしてＩＳＤＮに送信される（Ｓ７１３）。
【００２０】
データ端末１０３からターミナルアダプタ１０２に対して、ＲＳ２３２Ｃインターフェイス２０９経由の非同期データとして送信されたデータは、メモリ２０２に格納され（Ｓ７１５）、ＰＰＰ非同期／同期変換部２０８においてデータ変換した上で、無線データ伝送プロトコル処理部２０７に入力される（Ｓ７１６）。
【００２１】
無線データ伝送プロトコル処理部２０７においては、入力されたデータを図１６（ｄ）に示すフレームフォーマットに変換し（Ｓ７１７）、変換された３２ｋｂｐｓのデータはＩ．４６０変換部２０６で６４ｋｂｐｓに速度変換してＩＳＤＮのＢチャネルから送信される（Ｓ７１８）。
【００２２】
着信側の無線データ端末１０６は、ＩＳＤＮ１０１とＰＨＳ基地局１０５経由でデータを受信する。送信側ターミナルアダプタ１０２から送られたＢチャネルデータは、ＩＳＤＮ１０１を介してＰＨＳ基地局１０５に届く。ＰＨＳ基地局１０５においては、伝送するデータが「非制限デジタル」、「３２ｋｂｐｓ＋Ｉ．４６０」の伝送能力のデータであるので、Ｉ．４６０逆変換を行い、ＩＳＤＮから受信した６４ｋｂｐｓデータを３２ｋｂｐｓに変換して、無線データ端末１０６に送信する。こうしてデータ端末１０３から送信されたデータが無線データ端末１０６において受信されることとなる。
【００２３】
逆に、無線データ端末１０６が送信する場合、送信するデータは図１６（ｄ）に示すデータフレームフォーマットに組み立てられ、３２ｋｂｐｓの伝送速度でＰＨＳ基地局１０５に送信される。
【００２４】
ＰＨＳ基地局１０５においては、受信した３２ｋｂｐｓのデータをＩ．４６０で規定される方法に従って６４ｋｂｐｓに変換し、ＩＳＤＮ１０１に送信する。ＩＳＤＮ１０１を経由したデータはターミナルアダプタ１０２が受信する。ターミナルアダプタ１０２においては、Ｉ．４６０逆変換をＩ．４６０変換処理部２１０で行い（Ｓ７２０）、３２ｋｂｐｓのデータに変換する。
【００２５】
さらに、無線データ伝送プロトコル処理部２０７において、受信したデータに付加されているヘッダを削除した上で（Ｓ７２１）、データ端末１０３に出力する（Ｓ７２２）。
【００２６】
次に、無線データ端末１０６がＰＨＳ基地局１０５を経由して、データ端末１０３に対して発信を行う場合について説明する。
【００２７】
無線データ端末１０６の通信アプリケーションソフトが起動し、データ通信の要求が発生したことを認識すると、無線データ端末１０６はＰＨＳ基地局１０５に対して無線リンクのリンクチャネル確立要求をＳＣＣＨチャネルにより送信する。
【００２８】
ＰＨＳ基地局１０５は、無線リンクチャネル確立要求を受信すると、無線データ端末１０６に対してリンクチャネル割り当てメッセージを送信し、ＰＨＳ基地局１０５からＳＣＣＨによりリンクチャネル割り当てを受けた無線データ端末１０６は、呼設定メッセージを送信する。
【００２９】
呼設定メッセージを受けたＰＨＳ基地局１０５は、呼設定確認メッセージを無線データ端末１０６に送る。呼設定確認メッセージを受けた無線データ端末１０６は、無線管理、移動管理関連メッセージをＰＨＳ基地局１０５とやり取りした後、付加情報メッセージを送信する。ＰＨＳ基地局１０５は付加情報メッセージを受信すると、ＩＳＤＮ１０１に対して呼設定メッセージを送信し、ＩＳＤＮ１０１からの応答を待つ。
【００３０】
着信側では、ターミナルアダプタ１０２がＩＳＤＮ１０１から着信メッセージを受け（Ｓ７０７）、データ端末１０３に対して着信通知を行う（Ｓ７０８）。データ端末１０３において応答処理が行われると（Ｓ７０９）、応答処理を検知したターミナルアダプタ１０２はＩＳＤＮ１０１に対して応答メッセージを送信する（Ｓ７１０）。
【００３１】
ターミナルアダプタ１０２から応答メッセージを受信したＩＳＤＮ１０１は、ＰＨＳ基地局１０５に対して応答メッセージを送信し、それを受けたＰＨＳ基地局１０５が無線データ端末１０６に応答メッセージを送ることで、データチャネルがデータ端末１０３と無線データ端末１０６の間で確立する。
【００３２】
データチャネルパスの確立後は、無線データ端末１０６がデータ送信を開始する。実データの送信に先立ち、無線データ伝送プロトコルに従って、ターミナルアダプタ１０２との間でネゴシエーションを行う。すなわち、図１６（ａ）、（ｃ）に示すフォーマットの所定のフレームを送信して、フレーム同期確立、通信パラメータの設定を行い、ターミナルアダプタ１０２との間で無線データ伝送プロトコルに従った通信を行うことができる状態にする。
【００３３】
ターミナルアダプタ１０２がネゴシエーションフレームと通信パラメータ設定要求フレームを受け取ると（Ｓ７１１）、通信パラメータ設定受付フレームを送り返し（Ｓ７１２）、送信するデータは、図１６（ｄ）に示すデータフレームフォーマットに組み立てられ（Ｓ７１７）、３２ｋｂｐｓの伝送速度でＰＨＳ基地局１０５に送信される（Ｓ７１８）。
【００３４】
ＰＨＳ基地局１０５においては、受信した３２ｋｂｐｓのデータをＩ．４６０で規定される方法に従って６４ｋｂｐｓに変換し、ＩＳＤＮ１０１に送信する。ＩＳＤＮ１０１を経由したデータはターミナルアダプタ１０２が受信する。ターミナルアダプタ１０２においては、Ｉ．４６０逆変換をＩ．４６０変換処理部２０６で行い（Ｓ７２０）、３２ｋｂｐｓのデータに変換する。
【００３５】
さらに、無線データ伝送プロトコル処理部２０７において、受信したデータに付加されているヘッダを削除した上で（Ｓ７２１）、データ端末１０３に出力する（Ｓ７２２）。以上のようにして、無線データ端末１０６からデータ端末１０３に対してデータ送信が行われる。
【００３６】
また、コードレス電話の親機にPCカードを接続し、有線及び無線ネットワークに対応する技術が特許文献１に開示されている。
【特許文献１】特開平０８−０５６３７９号公報
【発明の開示】
【発明が解決しようとする課題】
【００３７】
しかしながら、上記従来例のターミナルアダプタにおいては、必ず無線を介した相手と通信するので、全ての相手に対して無線通信のための通信パラメータを設定するための情報を送信していた。また、特許文献１に記載されている従来の技術には、通信相手との通信パラメータの設定に関しては何ら開示されていない。
【００３８】
本発明は、通信相手に応じて、通信相手が無線を介して通信するための通信パラメータ設定情報を送信することで、適切なパラメータ設定処理を行うことを目的とする。
【課題を解決するための手段】
【００３９】
本発明は、通信装置において、第１の通信相手と無線を介して通信するか否かを判別する判別手段と、上記判別手段による判別に応じて、上記第１の通信相手が無線を介して通信するための通信パラメータ設定情報を、上記第１の通信相手に送信する送信手段とを有することを特徴とする通信装置を提供する。
【００４０】
また、通信装置において、第１の通信相手が無線通信機能を有するか否かを判別する判別手段と、上記判別手段による判別に応じて、上記第１の通信相手が無線を介して通信するための通信パラメータ設定情報を、上記第１の通信相手に送信する送信手段とを有することを特徴とする通信装置を提供する。
【００４１】
また、通信方法において、第１の通信相手と無線を介して通信するか否かを判別する判別工程と、上記判別工程における判別に応じて、上記第１の通信相手が無線を介して通信するための通信パラメータ設定情報を上記第１の通信相手送信する送信工程と、を有することを特徴とする通信方法を提供する。
【００４２】
さらに、通信方法において、第１の通信相手が無線通信機能を有するか否かを判別する判別工程と、上記判別工程における判別に応じて、上記第１の通信相手が無線を介して通信するための通信パラメータ設定情報を、上記第１の通信相手送信する送信工程とを有することを特徴とする通信方法を提供する。
【発明の効果】
【００４３】
本発明によれば、通信相手に応じて、通信相手が無線を介して通信するための通信パラメータ設定情報を送信するので、適切なパラメータ設定処理を行うができるという効果を奏する。
【発明を実施するための最良の形態】
【００４４】
発明を実施するための最良の形態は、次の実施例である。
【実施例１】
【００４５】
図１は、本発明を第１実施例におけるシステム構成を示す説明図であり、図２は、上記第１実施例によるターミナルアダプタの内部構成を示すブロック図である。また、図３、図４は、上記第１実施例による通信シーケンスを示す説明図であり、図６〜図１１は、上記第１実施例の動作を示すフローチャートである。
【００４６】
図１において、ＩＳＤＮ（Integrated Services Digital Network ）１１０１は、本実施例で用いるデジタル公衆通信回線であり、ターミナルアダプタ１１０２は、本発明を実施した通信装置の例である。ターミナルアダプタ１１０２にはパーソナルコンピュータ等のデータ端末１１０３と、無線データ端末１１０４が接続されている。
【００４７】
また、ＩＳＤＮ１１０１には、ＰＨＳ基地局１１０５が接続され、ＰＨＳ基地局１１０５に直接アクセスする機能を有する無線データ端末１１０６が接続される。さらに、ＩＳＤＮ１１０１には、他のターミナルアダプタ１１０７が接続され、このターミナルアダプタ１１０７には、データ端末１１０８が接続されている。
【００４８】
また、図２において、ターミナルアダプタ１１０２は、このアダプタ全体を制御するＣＰＵ１２０１と、各種情報を記憶するメモリ１２０２と、各種データの転送を行うためのデータバス１２０３と、ＤＳＵを含むＩＳＤＮインターフェイス部１２０４と、ＩＳＤＮインターフェイス部１２０４との間でＢチャネルシリアル信号１２０５をやりとりするマルチプレクサ１２０６と、無線データ伝送プロトコル処理部１２０９で組み立てられた３２ｋｂｐｓのデータを６４ｋｂｐｓのデータに変換するＩ．４６０変換部１２０７と、データ端末１０３から受けた非同期シリアルデータ（２４００ｂｐｓ、４８００ｂｐｓ、９６００ｂｐｓ、１９２００ｂｐｓ）を６４ｋｂｐｓの同期データに変換する処理を行うＰＰＰ非同期／同期変換部１２０８と、無線データ伝送プロトコル（ＰＩＡＦＳ）処理部１２０９と、無線伝送フレーム（レイヤ１）の組立／分解を行うチャネルコーデック１２１０と、高周波部１２１１と、ＲＳ２３２Ｃインターフェィス１２１２とを有する。
【００４９】
以下、本発明の動作について順番に説明する。
【００５０】
［１］本発明を実施したターミナルアダプタ側から発信する場合
（１−１）発信側がデータ端末の場合
まず、ターミナルアダプタ１１０２に接続されたデータ端末から発信する場合の処理を説明する。この場合、通信相手が無線データ伝送プロトコル（ＰＩＡＦＳ）をサポートする無線データ端末であるか、無線データ伝送プロトコルをサポートしない端末であるかにより異なる処理が行われる。
【００５１】
データ端末１１０３の通信アプリケーションソフトが起動し、データ端末１１０３から発信要求を受けたターミナルアダプタ１１０２は（Ｓ１４０１）、着番号が無線データ端末宛てであるかどうかを判断し（Ｓ１４０２）、その判断結果を記憶する。具体的には、着番号が０５０で始まるＰＨＳ端末宛てのもの（０５０−１−１２３４５６等）であれば無線データ端末宛ての発信であると判断し（Ｓ１６０１）、着番号がその他の番号で始まるもの（０３−１２３−４５６７等）であれば、無線データ伝送プロトコルをサポートしない端末であるとみなす（Ｓ１５０１）。
【００５２】
次に、ＩＳＤＮに対して呼設定メッセージを送信し発信処理を行う（Ｓ１５０３）。この際、呼設定メッセージに含まれる伝送能力情報要素の情報転送能力のコードには「非制限デジタル」を設定し、ユーザ速度のコードには「３２ｋｂｐｓ＋Ｉ．４６０」を設定する。
【００５３】
（相手がデータ端末の場合）
着番号がターミナルアダプタ１１０７宛て（０３−１２３−４５６７）である場合、ＩＳＤＮ１１０１は呼設定メッセージを受け、ターミナルアダプタ１１０７に対して呼設定メッセージを送信する。
【００５４】
呼設定メッセージを受けたターミナルアダプタ１１０７は、接続されたデータ端末１１０８に着信通知を行う。データ端末１１０８の使用者が応答処理を行うと、データ端末１１０８はターミナルアダプタ１１０７に対して応答通知を行い、応答通知を受けたターミナルアダプタ１１０７はＩＳＤＮ１１０１に対して、応答メッセージを送信する。
【００５５】
応答メッセージを受信したＩＳＤＮ１１０１は（Ｓ１５０４）、発信側のターミナルアダプタ１１０２に対して応答メッセージを送り、応答メッセージを受けたターミナルアダプタ１１０２はデータ端末１１０３に対して接続通知を送り（Ｓ１５０５）、データ端末１１０３の表示部にデータ通信を開始できることを表示する。それ以降データ端末１１０３から送られるデータはＢチャネルデータとしてＩＳＤＮに送信される（Ｓ１５０９）。
【００５６】
通信相手が無線データ伝送プロトコルをサポートしていないデータ端末１１０８であるので、データ端末１１０３からターミナルアダプタ１１０２に対してＲＳ２３２Ｃインターフェイス１２１２経由の非同期データとして送信されたデータは（Ｓ１５１０）メモリ１２０２に格納され（Ｓ１５１１）、ＰＰＰ非同期／同期変換部１２０８においてデータ変換した上で（Ｓ１５１２）、６４ｋｂｐｓの伝送速度でＩＳＤＮのＢチャネルから送信される（Ｓ１５１６）。
【００５７】
着信側のターミナルアダプタ１１０７においては、受信したデータをＰＰＰ非同期／同期変換部において非同期データに変換した上で、データ端末１１０８に送信する。
【００５８】
逆に、着信側のターミナルアダプタ１１０７からデータを送信する場合も全く同様の手順を踏み（Ｓ１５１３）、発信側のターミナルアダプタ１１０２内部で受信したデータを非同期データに変換した上で（Ｓ１５１４）、データ端末１１０３に送信する（Ｓ１５１５）。
【００５９】
こうしてデータ端末１１０３とデータ端末１１０８においてデータの送受信が可能になる。
【００６０】
（相手が無線データ端末の場合）
着番号が無線データ端末１１０６宛て（０５０−１−１２３４５６）のものである場合には、ＩＳＤＮ１１０１は呼設定メッセージを受け、ＰＨＳ基地局１１０５に対して着信を知らせる呼設定メッセージを送信する。ＰＨＳ基地局１１０５は無線データ端末１１０６に対してＰＣＨで着呼メッセージを送信し、それを受けた無線データ端末１１０６はＳＣＣＨにおいてリンクチャネル確立要求を行う。これに対して、ＰＨＳ基地局１１０５は無線データ端末１１０６に対してリンクチャネル割り当てメッセージを送信し、ＰＨＳ基地局１１０５からリンクチャネル割り当てをＳＣＣＨにより受けた無線データ端末１１０６は、着呼応答メッセージを送信する。
【００６１】
その後、無線データ端末１１０６はＰＨＳ基地局１１０５との間で、無線管理、移動管理関連メッセージをＰＨＳ基地局１１０５とやり取りし、無線データ端末１１０６は表示部に着信のあったことを表示する。無線データ端末１１０６の使用者が応答処理を行うと、無線データ端末１１０６はＰＨＳ基地局１１０５に対して応答メッセージを送信する。
【００６２】
応答メッセージを受けたＰＨＳ基地局１１０５は、ＩＳＤＮ１１０１に対して応答メッセージを送信し、ＩＳＤＮ１１０１はターミナルアダプタ１１０２に対して応答メッセージを送信する。ターミナルアダプタ１１０２がＩＳＤＮ１１０１から応答メッセージを受けると（Ｓ１６０４）、無線データ端末１１０６との間で無線データ伝送プロトコルのネゴシエーションを行う。
【００６３】
すなわち、図１６（ａ）、（ｃ）に示すネゴシエーションフレーム（Ｓ１６０５）や通信パラメータ設定要求フレームを送り（Ｓ１６０６）、フレーム同期確立、通信パラメータの設定等の処理を行う。無線データ端末１１０６から通信パラメータ設定受付フレームを受信すると（Ｓ１６０７）、データ端末１１０３に対して接続通知を行い（Ｓ１６０８）、それ以降データ端末１１０３から送られるデータは、ＢチャネルデータとしてＩＳＤＮ１１０１に送信される（Ｓ１６１４）。
【００６４】
データ端末１１０３からターミナルアダプタ１１０２に対して、ＲＳ２３２Ｃインターフェイス１２１２経由の非同期データとして送信されたデータは（Ｓ１６１５）、メモリ１２０２に格納され（Ｓ１６１６）、ＰＰＰ非同期／同期変換部１２０８においてデータ変換した上で（Ｓ１６１７）、無線データ伝送プロトコル処理部１２０９に入力される。無線データ伝送プロトコル処理部１２０９においては、入力されたデータを図１６（ｄ）に示すフレームフォーマットに変換し（Ｓ１６１８）、変換された３２ｋｂｐｓのデータはＩ．４６０変換部１２０７で６４ｋｂｐｓに速度変換してＩＳＤＮのＢチャネルから送信される（Ｓ１６１９）。
【００６５】
着信側の無線データ端末１１０６は、ＩＳＤＮとＰＨＳ基地局経由でデータを受信する。送信側ターミナルアダプタ１１０２から送られたＢチャネルデータは、ＩＳＤＮを介してＰＨＳ基地局に届く。ＰＨＳ基地局においては、伝送するデータが「非制限デジタル」、「３２ｋｂｐｓ＋Ｉ．４６０」データであるので、自動的にＩ．４６０逆変換を行い、ＩＳＤＮから受信した６４ｋｂｐｓデータを３２ｋｂｐｓに変換して無線データ端末に送信する。
【００６６】
逆に、無線データ端末１１０６から送信するデータは、無線データ伝送プロトコルに従ったフレームに組み立てられてＰＨＳ基地局１１０５に送られる。ＰＨＳ基地局１１０５においては、受信した３２ｋｂｐｓのデータをＩ．４６０に従って６４ｋｂｐｓに変換した上で、ＩＳＤＮ１１０１に送信する。
【００６７】
ＩＳＤＮ１１０１からデータを受信したターミナルアダプタ１１０２においては（Ｓ１６２０）、Ｉ．４６０逆変換により３２ｋｂｐｓに変換した上で（Ｓ１６２１）、無線データ伝送プロトコル処理部１２０９において無線データフレームを分解し（Ｓ１６２２）、内部情報データをＰＰＰ非同期／同期変換部１２０８において非同期データに変換して（Ｓ１６２３）、ＲＳ２３２Ｃインターフェイス部１２１２を介してデータ端末１１０３に送信する（Ｓ１６２４）。
【００６８】
こうして、データ端末１１０３と無線データ端末１１０６の間でデータの送受信が可能になる。
【００６９】
（１−２）発信側が無線データ端末である場合
次に、ターミナルアダプタ１１０２に無線で接続された無線データ端末１１０４から発信する場合（Ｓ１４０３）の処理を説明する。この場合も、通信相手が無線データ端末であるか、無線データ伝送プロトコルをサポートしない端末であるか（Ｓ１４０４）により異なる処理が行われる。
【００７０】
無線データ端末１１０４の通信アプリケーションソフトが起動し、データ通信の要求が発生したことを認識すると、無線データ端末１１０４はターミナルアダプタ１１０２に対して無線リンクのリンクチャネル確立要求をＳＣＣＨチャネルにより送信する。ターミナルアダプタ１１０２は無線リンクチャネル確立要求を受信すると、無線データ端末１１０４に対してリンクチャネル割り当てメッセージを送信し、ターミナルアダプタ１１０２からリンクチャネル割り当てをＳＣＣＨにより受けた無線データ端末１１０４は、呼設定メッセージを送信する。
【００７１】
呼設定メッセージを受けたターミナルアダプタ１１０２は、着番号が無線データ端末宛てであるかどうかを判断し、その判断結果を記憶する。具体的には、番号が０５０で始まるＰＨＳ端末宛てのもの（０５０−１−１２３４５６等）であれば、無線データ端末宛ての発信であると判断し（Ｓ１８０１）、番号がその他の番号で始まるもの（０３−１２３−４５６７等）であれば、無線データ伝送プロトコルをサポートしない端末であるとみなす（Ｓ１７０１）。
【００７２】
次に、ターミナルアダプタ１１０２は呼設定確認メッセージを無線データ端末１１０４に送る。呼設定確認メッセージを受けた無線データ端末１１０４は、無線管理、移動管理関連メッセージをターミナルアダプタ１１０２とやり取りした後、付加情報メッセージを送信する（Ｓ１７０３）。ターミナルアダプタ１１０２は付加情報メッセージを受信すると、ＩＳＤＮ１１０１に対して呼設定メッセージを送信し（Ｓ１７０４）、ＩＳＤＮ１１０１からの応答を待つ（Ｓ１７０５）。
【００７３】
（相手がデータ端末の場合）
着番号がターミナルアダプタ１１０７宛て（０３−１２３−４５６７）である場合、ＩＳＤＮ１１０１は呼設定メッセージを受け、ターミナルアダプタ１１０７に対して呼設定メッセージを送信する。
【００７４】
呼設定メッセージを受けたターミナルアダプタ１１０７は、接続されたデータ端末１１０８に着信通知を行う。データ端末１１０８の使用者が応答処理を行うと、データ端末１１０８はターミナルアダプタ１１０７に対して応答通知を行い、応答通知を受けたターミナルアダプタ１１０７はＩＳＤＮ１１０１に対して、応答メッセージを送信する。
【００７５】
応答メッセージを受信したＩＳＤＮ１１０１は、発信側のターミナルアダプタ１１０２に対して応答メッセージを送り、応答メッセージを受けたターミナルアダプタ１１０２はデータ端末１１０３に対して接続通知を送り（Ｓ１７０６）、データ端末１１０３の表示部にデータ通信を開始できることを表示する。それ以降データ端末１１０３から送られるデータは、ＢチャネルデータとしてＩＳＤＮ１１０１に送信される。
【００７６】
通信相手が無線データ伝送プロトコルをサポートしていないデータ端末１１０８であるので、無線データ端末１１０４から送信されるネゴシエーションフレームはターミナルアダプタ１１０２が受け取り、無線データ端末１１０４とターミナルアダプタ１１０２の間で、図１６（ａ）、（ｃ）に示すフォーマットの所定のフレームを送信して、フレーム同期確立通信パラメータの設定を行い、無線データ伝送プロトコルに従った通信を行うことができる状態にする。つまり、ネゴシエーションフレームや通信パラメータ設定フレームを無線データ端末１１０４から受信すると（Ｓ１７０８）、無線データ端末１１０４に通信パラメータ設定受付フレームを送る（Ｓ１７０９）。
【００７７】
この後は、無線データ端末１１０４とデータ端末１１０８の間でデータの送受信を開始する。
【００７８】
無線データ端末１１０４が送信したデータを受信したターミナルアダプタ１１０２は（Ｓ１７１７）、無線データ伝送処理部１２０９が無線データ伝送用ヘッダの削除を行った上で、メモリ１２０２に格納する（Ｓ１７１８）。ヘッダの削除を行ったデータは、実効伝送速度が２９．２ｋｂｐｓ程度になっているので、ＩＳＤＮには６４ｋｂｐｓに速度変換して送信する必要がある。そこで、メモリに格納されたデータから上位レイヤのパケットの始まりと終わりに割り当てられている特定のパターン（０１１１１１１０）を検索して、上位レイヤのパケットの始まりと終わりを検出し、そのパケット単位でＰＰＰ非同期／同期変換部１２０８においてＨＤＬＣフレームフォーマットに組み立てて（Ｓ１７１９）、ＩＳＤＮに同期した６４ｋｂｐｓのタイミングでＩＳＤＮに送信する（Ｓ１７２０）。
【００７９】
着信側のターミナルアダプタ１１０７においては、受信したデータをＰＰＰ非同期／同期変換部１２０８において非同期データに変換した上で、データ端末１１０８に送信する。
【００８０】
逆に、データ端末１１０８が送信したデータは（Ｓ１７２１）、ターミナルアダプタ１１０７のＰＰＰ非同期／同期変換部１２０８において６４ｋｂｐｓの同期データに変換されてＩＳＤＮ１１０１に送信され、ターミナルアダプタ１１０２が受信してメモリ１２０２に格納する（Ｓ１７２２）。ターミナルアダプタ１１０２は、図１６（ｄ）に示すフレーム長単位でメモリから無線データ伝送プロトコル処理部１２０９にデータを送り、所定のヘッダを付加して３２ｋｂｐｓの伝送速度に変換した上でチャネルコーデック１２１０に入力し（Ｓ１７２３）、無線部１２１１を介して無線データ端末１１０４に伝送される（Ｓ１７２４）。データを受信した無線データ端末１１０４では、チャネルコーデック３０６から出力された３２ｋｂｐｓのデータからヘッダを削除し、そのデータを上位ソフトに送る。
【００８１】
こうして、無線データ端末１１０４データ端末１１０８の間でデータの送受信を行うことが可能となる。
【００８２】
（相手が無線データ端末の場合）
着番号が無線データ端末１１０６宛て（０５０−１−１２３４５６）のものである場合には、ＩＳＤＮ１１０１は呼設定メッセージを受け、ＰＨＳ基地局１１０５に対して着信を知らせる呼設定メッセージを送信する。ＰＨＳ基地局１１０５は無線データ端末１１０６に対してＰＣＨで着呼メッセージを送信し、それを受けた無線データ端末１１０６はＳＣＣＨにおいてリンクチャネル確立要求を行う。これに対して、ＰＨＳ基地局１１０５は無線データ端末１１０６に対してリンクチャネル割り当てメッセージを送信し、ＰＨＳ基地局１１０５からリンクチャネル割り当てをＳＣＣＨにより受けた無線データ端末１１０６は、着呼応答メッセージを送信する。
【００８３】
その後、無線データ端末１１０６はＰＨＳ基地局１１０５との間で、無線管理、移動管理関連メッセージをＰＨＳ基地局１１０５とやり取りし、無線データ端末１１０６は表示部に着信のあったことを表示する。無線データ端末１１０６の使用者が応答処理を行うと、無線データ端末１１０６はＰＨＳ基地局１１０５に対して応答メッセージを送信する。
【００８４】
応答メッセージを受けたＰＨＳ基地局１１０５は、ＩＳＤＮ１１０１に対して応答メッセージを送信し、ＩＳＤＮ１１０１は、ターミナルアダプタ１１０２に対して応答メッセージを送信する。ターミナルアダプタ１１０２がＩＳＤＮ１１０１から応答メッセージを受けると（Ｓ１８０５）、無線データ端末１１０４に対して応答メッセージを送信し（Ｓ１８０６）、応答メッセージを受信した無線データ端末１１０４は表示部に接続通知表示を行い、それ以降無線データ端末１１０４から送られるデータはＢチャネルデータとしてＩＳＤＮ１１０１に送信される（Ｓ１８１０）。
【００８５】
無線データ端末１１０４の通信相手が無線データ伝送プロトコルをサポートしている無線データ端末１１０６であるので、データチャネルパスの確立後は、無線データ端末１１０４と無線データ端末１１０６の間で無線データ伝送プロトコルに従った通信が行われる。
【００８６】
無線データ端末１１０４は実データの送信に先立ち、無線データ伝送プロトコルに従って、無線データ端末１１０６との間でネゴシエーションを行う。すなわち、図１６（ａ）、（ｃ）に示すフォーマットの所定のフレームを送信して、フレーム同期確立、通信パラメータの設定を行い、無線データ端末１１０６との間で無線データ伝送プロトコルに従った通信を行うことができる状態にする。
【００８７】
送信するデータは、無線データ端末１１０４内の無線データ伝送プロトコル処理部３０５において、図１６（ｄ）に示すデータフレームフォーマットに組み立てられる。３２ｋｂｐｓの伝送速度となったデータは、チャネルコーデック３０６、無線部３０７経由でターミナルアダプタ１１０２に送られ（Ｓ１８１１）、ターミナルアダプタ１１０２では、無線部１２１１、チャネルコーデック１２１１経由で受けたデータを、Ｉ．４６０変換部１２０７においてＩ．４６０で規定される方法に従って６４ｋｂｐｓに変換し、ＩＳＤＮに送信する（Ｓ１８１２）。
【００８８】
ＩＳＤＮを経由したデータはＰＨＳ基地局１１０５が受信する。ＰＨＳ基地局１１０５においては、Ｉ．４６０逆変換を行って受信した６４ｋｂｐｓのデータを３２ｋｂｐｓのデータに変換し、無線データ端末１１０６に送信する。
【００８９】
逆に、無線データ端末１１０６がデータを送信する場合には、チャネルコーデック３０６において無線データ伝送用フレームに組み立てられた３２ｋｂｐｓのデータを受けたＰＨＳ基地局１１０５は、Ｉ．４６０により６４ｋｂｐｓに変換し、ＩＳＤＮ１１０１に送信する。ＩＳＤＮ１１０１からデータを受けたターミナルアダプタ１１０２は（Ｓ１８１４）、Ｉ．４６０の逆変換を行って６４ｋｂｐｓのデータを３２ｋｂｐｓのデータに変換した上で（Ｓ１８１５）、チャネルコーデック１２１０、無線部１２１１経由で無線データ端末１１０３に送信する（Ｓ１８１６）。
【００９０】
以上のようにして、無線データ端末１１０４と無線データ端末１１０６の間でデータ送受信が行われる。
【００９１】
［２］ターミナルアダプタが着信を受けたとき
着信を受けたときにも（Ｓ１４０５）、相手端末が無線データ端末であるか、無線データ伝送プロトコルをサポートしない端末であるかを認識すれば、その他の処理は発信する場合と同様である。
【００９２】
ＩＳＤＮ１１０１から着信を受けて呼設定メッセージを受信すると、ターミナルアダプタ１１０２は呼設定メッセージに入っている発番号を読み取る。発番号が０５０−１−１２３４５６のようにＰＨＳ加入者番号である場合には、相手端末が無線データ端末であるとみなし、発番号が０３−１２３−４５６７のように通常の電話の加入者番号である場合には、相手端末が無線データ伝送プロトコルをサポートしないとみなす（Ｓ１４０６）。
【００９３】
また、ターミナルアダプタ１１０２では、受信した呼設定メッセージに入っている着サブアドレスも読み取り（Ｓ１４０７、Ｓ１４０９）、着サブアドレスによってその着信がデータ端末１１０３宛てのものであるか、無線データ端末１１０４宛てのものであるかを判断する（Ｓ１４０８、Ｓ１４１０）。
【００９４】
相手端末がターミナルアダプタ１１０７で、着信がデータ端末１１０３宛てのものである場合には（Ｓ１５０２）、ＲＳ２３２Ｃインターフェイス部１２１２を介してデータ端末１１０３に対して着信通知を送る（Ｓ１５０６）。データ端末１１０３において応答処理が行われると（Ｓ１５０７）、ターミナルアダプタ１１０２はＩＳＤＮ１１０１に対して応答メッセージを送信し（Ｓ１５０８）、ＩＳＤＮのＢチャネルが接続される。
【００９５】
相手端末がターミナルアダプタ１１０７で着信が無線データ端末１１０４宛てのものである場合には（Ｓ１７０２）、無線データ端末１１０４を呼び出す処理を行う。具体的には、ターミナルアダプタ１１０２は無線データ端末１１０４に対してＰＣＨで着呼メッセージを送信し（Ｓ１７１０）、それを受けた無線データ端末１１０４はＳＣＣＨにおいてリンクチャネル確立要求を行う。これに対して、ターミナルアダプタ１１０２は無線データ端末１１０４に対してリンクチャネル割り当てメッセージを送信し、ターミナルアダプタ１１０２からリンクチャネル割り当てをＳＣＣＨにより受けた無線データ端末１１０４は、着呼応答メッセージを送信する。
【００９６】
その後、無線データ端末１１０４は、ターミナルアダプタ１１０２との間で無線管理、移動管理関連メッセージをターミナルアダプタ１１０２とやり取りし、無線データ端末１１０４は表示部に着信のあったことを表示する。無線データ端末１１０４の使用者が応答処理を行うと、無線データ端末１１０４はターミナルアダプタ１１０２に対して応答メッセージを送信する（Ｓ１７１１）。
【００９７】
応答メッセージを受けたターミナルアダプタ１１０２は、ＩＳＤＮ１１０１に対して応答メッセージを送信し（Ｓ１７１２）、Ｂチャネルが接続される。
【００９８】
その後、ターミナルアダプタ１１０２と無線データ端末１１０４の間では無線データ伝送プロトコルに従ったリンクを確立するために、ターミナルアダプタ１１０２が無線データ端末１１０４にネゴシエーションフレーム（Ｓ１７１３）と通信パラメータ設定要求フレームを送信する（Ｓ１７１４）。無線データ端末１１０４から通信パラメータ設定受付フレームを受信すると（Ｓ１７１５）、データフレームでの伝送を開始する。
【００９９】
相手端末が無線データ端末１１０６で着信がデータ端末１１０３宛てのものである場合（Ｓ１６０２）、ターミナルアダプタ１１０２はデータ端末１１０３に着信通知を行い（Ｓ１６０９）、データ端末１１０３で応答があると（Ｓ１６１０）ＩＳＤＮ１１０１に応答メッセージを送信する（Ｓ１６１１）。
【０１００】
その後、ターミナルアダプタ１１０２は相手無線データ端末１１０６との間で、無線データ伝送プロトコルのリンクを確立する。無線データ端末１１０６からネゴシエーションフレームと通信パラメータ設定フレームを受信すると（Ｓ１６１２）、通信パラメータ設定受付フレームを送信し（Ｓ１６１３）、以後はデータ端末１１０３と無線データ端末１１０６の間でデータのやり取りを開始する（Ｓ１６１４）。
【０１０１】
相手端末が無線データ端末１１０６で着信が無線データ端末１１０４宛てのものである場合（Ｓ１８０２）、無線データ端末１１０４に着信通知を行い（Ｓ１８０７）、無線データ端末で応答があると（Ｓ１８０８）、ターミナルアダプタ１１０２はＩＳＤＮに応答する。それ以降は、無線データ端末１１０４と無線データ端末１１０６の間で無線データ伝送プロトコルに従った通信を開始する。
【０１０２】
受信した呼設定メッセージにサブアドレスが入っていない場合（Ｓ１９０１、Ｓ１９０２）には、データ端末１１０３と無線データ端末１１０４を同時に呼び出す（Ｓ１９０３、Ｓ１９１０）。無線データ端末１１０４で応答があった場合には（Ｓ１９０４、Ｓ１９１１）、ＩＳＤＮに応答メッセージを送信した上で（Ｓ１９０５、Ｓ１９１２）、データ端末１１０３には切断通知を行い（Ｓ１９０６、Ｓ１９１３）、サブアドレスが無線データ端末１１０４であった場合と同様の処理に移行する（Ｓ１８０３、Ｓ１７０３）。
【０１０３】
データ端末１１０３が応答した場合には（Ｓ１９０７、Ｓ１９１４）、ＩＳＤＮに応答メッセージを送信した上で（Ｓ１９０５、Ｓ１９１２）、無線データ端末１１０４には切断通知を行い（Ｓ１９０９、Ｓ１９１６）、サブアドレスが無線データ端末１１０４であった場合と同様の処理に移行する（Ｓ１８０３、Ｓ１７０３）。
【０１０４】
以上のようにして、ターミナルアダプタに接続された端末の種別、相手端末の種別によらず、データの送受信が可能となるものである。
【０１０５】
次に、本発明の第２実施例について説明する。
【０１０６】
上述した第１実施例では、相手端末が無線データ伝送プロトコルをサポートするかどうかは、発信時には着番号により、着信時には受信した発番号により判断していた。しかしこの場合、図５に示すように、相手端末が無線データ端末を介して接続されるデータ端末である場合のように、加入者番号自体は無線回線でない番号であっても、端末自体は無線データ伝送プロトコルをサポートする場合がある。
【０１０７】
このような場合には、通信相手の加入者番号とサブアドレス毎に、無線データ伝送プロトコルをサポートするかどうかを記述したテーブルをターミナルアダプタに設ける方法を用いることができる。このテーブルは、接続されるデータ端末や無線データ端末により作成する。
【０１０８】
そして、発信する場合には、発信先の加入者番号とサブアドレスを受けたターミナルアダプタがテーブルを検索して、その相手がデータ端末であるか無線データ端末であるかに応じて、Ｂチャネル接続後のデータ変換方法を選択する。
【０１０９】
また、着信した場合には、相手の加入者番号とサブアドレスを受けたターミナルアダプタがテーブルを検索して、その結果に応じてＢチャネル接続後のデータ変換方法を選択するものである。
【０１１０】
このようにすることにより、確実に相手端末が無線データ伝送プロトコルをサポートするかどうかを認識し、任意の相手とのデータ通信を可能にすることができる。
【０１１１】
なお、以上の各実施例においては、ターミナルアダプタが有線でデータ端末と接続される場合には、ＲＳ２３２Ｃインターフェイスによるものであった。しかし、その他のインターフェイスによっても同様の効果を得ることが可能であり、たとえばＵＳＢ（Universal Serial Bus）等であってもよい。
【０１１２】
以上説明したように上記説明によれば、相手が無線データ伝送プロトコルをサポートするかどうかにかかわらず、任意の端末へのデータ送信を可能にすることができる。
【０１１３】
また、着信時には、相手が無線データ伝送プロトコルをサポートするかどうかにかかわらず、任意の端末からデータを受信することができる。
【０１１４】
さらに、通信相手と無線を介して通信するか否か、または通信相手が無線通信機能を有するか否かに応じて、通信相手が無線を介して通信するための通信パラメータ設定情報を送信するので、通信相手に適したパラメータ設定処理を行うことができる。
【０１１５】
また、通信相手が無線通信を行わない場合には、無線通信のためのパラメータ設定情報を送信しないので、無駄な処理を防止することができる。また、発信側が無線通信するか否か、着信側が無線通信するか否かにより、通信パラメータ設定情報を送信するので、通信する装置に応じた適切なパラメータ設定を行うことができる。
【図面の簡単な説明】
【０１１６】
【図１】本発明を第１実施例におけるシステム構成を示す説明図である。
【図２】上記第１実施例によるターミナルアダプタの内部構成を示すブロック図である。
【図３】上記第１実施例による通信シーケンスを示す説明図である。
【図４】上記第１実施例による通信シーケンスを示す説明図である。
【図５】本発明の第２実施例による通信シーケンスを示す説明図である。
【図６】上記第１実施例の動作を示すフローチャートである。
【図７】上記第１実施例の動作を示すフローチャートである。
【図８】上記第１実施例の動作を示すフローチャートである。
【図９】上記第１実施例の動作を示すフローチャートである。
【図１０】上記第１実施例の動作を示すフローチャートである。
【図１１】上記第１実施例の動作を示すフローチャートである。
【図１２】従来のシステム構成を示す説明図である。
【図１３】従来のターミナルアダプタの内部構成を示すブロック図である。
【図１４】従来の無線データ端末の内部構成を示すブロック図である。
【図１５】ＰＨＳ無線フレームフォーマットを示す説明図である。
【図１６】無線データ伝送プロトコル（ＰＩＡＦＳ）で規定されるフレームフォーマットを示す説明図である。
【図１７】従来の通信シーケンスを示す説明図である。
【図１８】従来の通信動作を示すフローチャートである。
【符号の説明】
【０１１７】
１１０１…ＩＳＤＮ、
１１０２、１１０７…ターミナルアダプタ、
１１０３、１１０８…データ端末、
１１０４、１１０６…無線データ端末、
１１０５…ＰＨＳ基地局。
【図１】
2005333660.tif 000003
【図２】
2005333660.tif 000004
【図３】
2005333660.tif 000005
【図４】
2005333660.tif 000006
【図５】
2005333660.tif 000007
【図６】
2005333660.tif 000008
【図７】
2005333660.tif 000009
【図８】
2005333660.tif 000010
【図９】
2005333660.tif 000011
【図１０】
2005333660.tif 000012
【図１１】
2005333660.tif 000013
【図１２】
2005333660.tif 000014
【図１３】
2005333660.tif 000015
【図１４】
2005333660.tif 000016
【図１５】
2005333660.tif 000017
【図１６】
2005333660.tif 000018
【図１７】
2005333660.tif 000019
【図１８】
2005333660.tif 000020